(57)【要約】      （修正有）【課題】利用者の状況に応じて、簡易に装着したり、取り外したりする事ができ、装着・取外し動作を困難なく行う事ができるようにした下肢用サポータを提供する。【解決手段】弾性素材の収縮力によって装着者の歩行を支援する為の下肢用サポータ５０であって、足のつま先部又は甲部を包囲して装着される足部装着部１４と、膝部又は膝部近傍を包囲して装着される膝部装着部１０と、当該足部装着部と膝部装着部とに連架されて、前脛骨筋の正面側に存在する、弾性素材で形成された第一伸縮部１２とからなる下肢用サポータ。【選択図】図１
2018011903.tif 000002
【特許請求の範囲】
【請求項１】
弾性素材の収縮力によって装着者の歩行を支援する為の下肢用サポータであって、
足首部、又は足のつま先部若しくは甲部を包囲して装着される足部装着部と、
膝部又は膝部近傍を包囲して装着される膝部装着部と、
当該脚部装着部と膝部装着部とに連架されて、前脛骨筋の正面側に存在する、弾性素材で形成された第一伸縮部とからなることを特徴とする下肢用サポータ。
【請求項２】
前記伸縮部は帯状であって、足の甲部を上方に持ち上げる向きに張力が作用する長さに形成されている、請求項１に記載の下肢用サポータ。
【請求項３】
前記脚部装着部と膝部装着部とは、伸縮自在な筒状に形成されており、各部位を締め付けて固定している、請求項１又は２に記載の下肢用サポータ。
【請求項４】
更に腰部又は腰部近傍を包囲して装着される腰部装着部を備えており、
当該腰部装着部と前記膝部装着部とに連架されて、大腿四頭筋の正面側に存在する、弾性素材で形成された第二伸縮部を備える、請求項１〜３の何れか一項に記載の下肢用サポータ。
【請求項５】
前記第二伸縮部は、前記第一伸縮部よりも張力が大きい、請求項４に記載の下肢用サポータ。
【発明の詳細な説明】
【技術分野】
【０００１】
本発明は歩行時における下肢の筋力を支援し、歩行しやすくするための下肢用サポータの関し、より具体的には、高齢者等の様に下肢の筋肉（特に、前脛骨筋など）が衰えた場合であっても、躓くことなく安全に歩行できるようにするための下肢用サポータに関する。
【背景技術】
【０００２】
日常生活を通常通り行おうとする場合、歩行動作は必要不可欠である。しかしながら、歩行動作の為の筋肉は老化に伴って衰えてしまい、また長期療養などで運動量が著しく減少した場合にも衰えてしまう。このように歩行動作に要する筋肉が衰えてしまった場合には、歩行動作において、歩幅が小さくなったり、すり足歩行になったりすることから、転倒の危険性が増加してしまう。
【０００３】
このため、従前においても、歩行機能の回復および補助に使用される前脛骨筋の機能回復および補助用装置が幾つか提案されている。例えば特許文献１（特開２００８−１３２１５３号公報）では、歩行機能の回復および補助に使用してスムーズな歩行能力を獲得する事を課題とした前脛骨筋の機能回復および補助用装置が提案されている。この補助装置は、足部が挿入される足収容部材および該足収容部材の後部側に傾動可能に設けられ脛部に取付けられる脛収容部材を備え、下腿に装着されて使用される短下肢装具と、前記足収容部材の先上部側および前記脛収容部材の前上部側にそれぞれ両端部が連結され、伸縮することで前記足収容部材のつま先側を踵側に対して傾動させる駆動手段と、前記足収容部材の底部のつま先側および踵側にそれぞれ取付けられ、該足収容部材の底部に加わる圧力を検出する第一、第２の圧力センサーと、前記第一、第２の圧力センサーの検出値から歩行時の前記足収容部材の底部の離地および接地の状態を判別し、歩行動作に合わせて前記駆動手段を伸縮させる駆動制御手段とを有し、前記短下肢装具が装着された下腿の歩行時における前脛骨筋の機能を補助するものとして構成されている。
【０００４】
また、特許文献２（特開２０１４−１８５４１８号公報）では、日々の日常生活で、正しい歩き方ができないと、骨盤、股関節、膝関節、又は、足関節が歪み、痛みが生じたり、怪我につながるとの知見に基づいて、歩行時に正しい体重移動ができるように補助することができるソックス状衣類を提案している。即ちこの特許文献２では、少なくとも膝蓋骨の下から足裏の少なくとも一部までの下半身を覆い、伸縮性生地よりなる本体部の一部に緊締力の強い帯状の緊締部を有するソックス状衣類であって、前記緊締部は、前脛骨筋に沿って起始から停止まで伸長された膝下第一緊締部と、脛骨の内側上端部から腓腹筋に沿って内側くるぶしの後方をとおり、足の内側から踵骨、舟状骨、立方骨、又は、全楔状骨の底面まで伸長された膝下第２緊締部と、脛骨の外側上端部から腓腹筋に沿って外側くるぶしの後方をとおり、足の外側から踵骨、舟状骨、立方骨、又は、全楔状骨の底面まで伸長された膝下第３緊締部とを有するソックス状衣類を提案している。
【先行技術文献】
【特許文献】
【０００５】
【特許文献１】特開２００８−１３２１５３号公報
【特許文献２】特開２０１４−１８５４１８号公報
【発明の概要】
【発明が解決しようとする課題】
【０００６】
上記の通り、従前から歩行動作の補助乃至は矯正を行う機械器具は幾つか提案されている。しかしながら、前記特許文献１で提案されている前脛骨筋の機能回復および補助用装置は、伸縮することで足収容部材のつま先側を踵側に対して傾動させる駆動手段を備えるものであり、圧力センサーを必要とするなど、その構造は複雑であって、その装着が困難である。
【０００７】
ところで、歩行動作の支援や矯正を行う機械器具は、歩行動作時に着用していればよく、着座していたり、単に起立している姿勢においては、当該機械器具は特段意味をなさない事になる。また、前記のような歩行動作の障害は、筋肉の衰えだけによるものではなく、立ち仕事、運動あるいは日常生活等において、下肢の筋肉、特に前脛骨筋を酷使してしまい、筋肉が凝り固まってしまった場合に限って発生する場合もある。
【０００８】
そして、このように下肢の筋肉が凝り固まっている場合に、何ら軽減措置を施すことなく放っておいたとすれば、凝り固まった下肢の筋肉が、足の神経や血管を圧迫してしまい、足の甲がしびれを生じさせることも危惧される。
【０００９】
よって、歩行動作の補助乃至は矯正の為の機械器具は、このような症状（筋肉が凝り固まった症状）が出た場合に、必要に応じて、簡易且つ迅速に装着できることが望ましい。
【００１０】
そこで本発明では、利用者の状況に応じて、簡易に装着したり、取り外したりする事ができ、装着・取外し動作を困難なく行う事ができるようにした下肢用サポータを提供することを第一の課題とする。
【００１１】
また前記特許文献２で提案されているソックス状衣類は、前脛骨筋に沿って起始から停止まで伸長された膝下第一緊締部を備えている。そしてこの膝下第一緊締部の緊締力により前脛骨筋にアプローチし、歩行時につま先を上がりやすくし、つまずきや転倒を防止すると共に、正しくつま先で地面を蹴ることにより、筋力を増強させることが提案さされている。しかしながら、このソックス状衣類は、当該膝下第一緊締部のみならず、膝下第２緊締部及び膝下第３緊締部を備えており、各緊締部同士の力バランスが複雑である。そして、このように緊締力のバランスを複雑に調整した場合には、長年の使用により何れかの緊締部の緊締力が変わってしまった場合には、当該緊締部同士のバランスが変化してしまい、却って歩行動作に支障を来すことが考えられる。
【００１２】
そこで本発明では、このような緊締力のバランスを考慮する事なく、長年の使用により緊締力が変化した場合であっても、歩行動作を支援できるようにした下肢用サポータを提供することを第二の課題とする。
【課題を解決するための手段】
【００１３】
上記課題の少なくとも何れかを解決するべく、本発明者は、歩行動作を徹底的に究明し、当該歩行動作に必要な筋肉と、その動作を支援する為の構成を試行錯誤した結果、本発明を完成するに至ったものである。
【００１４】
即ち、本発明では、弾性素材の収縮力によって装着者の歩行を支援する為の下肢用サポータであって、足首部、又は足のつま先部若しくは甲部を包囲して装着される足部装着部と、膝部又は膝部近傍を包囲して装着される膝部装着部と、当該脚部装着部と膝部装着部とに連架されて、前脛骨筋の正面側に存在する、弾性素材で形成された第一伸縮部とからなる下肢用サポータを提供する。
【００１５】
上記足部装着部は、足のつま先部又は甲部を包囲して装着されるものであり、また膝部装着部は、膝部又は膝部近傍を包囲して装着されるものである。これらは筒状に形成して、各部位を包囲して緊締することにより装着するものとして形成する事ができる。したがって、これらの足部装着部及び膝部装着部は、伸縮自在な材料、例えばニットやゴムなどの材質を用いて形成するのが望ましい。その際、この足部装着部及び膝部装着部は、男性、女性、年代等の使用者の体格に応じて異なるサイズのものを複数形成しておき、任意に組み合わせて使用できるようにすることが望ましい。但し、この足部装着部及び膝部装着部は、各部位を緊結できれば良い事から、ベルトや面ファスナー用いて各部位を緊結するものであっても同等の作用効果を期待する事ができる。
【００１６】
また、上記足部装着部と膝部装着部には、弾性素材で形成された第一伸縮部が、前脛骨筋の正面側に存在するように架設される。かかる第一伸縮部は、ゴムやニット、或いはゴムを編み込んだニットや布帛等の弾性素材で形成されることから、当該第一伸縮部の収縮力によって、前脛骨筋の動作をサポートする事ができる。特に本発明にかかる下肢用サポータは、歩行動作を支援するものであり、歩行時における躓きや摺足は、当該前脛骨筋の筋力が衰え、足のつま先側を持ち上げるのが困難な場合に発生する事から、前記伸縮部は、足の甲部を上方に持ち上げる向きの収縮力を備える必要がある。よって、当該第一伸縮部は、足の甲部を上方に持ち上げる向きに張力が作用する長さに形成するのが望ましい。これにより、歩行動作においては、当該第一伸縮部材の収縮力によってつま先側が持ち上げられる事から、スムーズな歩行動作を実現することができる。
【００１７】
また、当該伸縮部は、上端側は着用者の膝部近傍に存在し、下端側は足首部、又は足のつま先部若しくは甲部に存在する。その際、足の甲部（若しくはつま先部）を持ち上げる力を最大限に作用させる為には、当該第一伸縮部材の下端側は、つま先側に存在するのが望ましい。一方で、当該第一伸縮部材の下端側をつま先側に存在させた場合には、靴やサンダルなどの履物を履いた場合に、当該第一伸縮部材が障害になることも考えられる。そこで、履物を履く場合には、当該当該第一伸縮部材の下端側は足の甲部、又は足首部に存在させるのが望ましい。当該第一伸縮部材は前脛骨筋をサポートすることから、その下端側を足首に存在させた場合であっても、そのサポート力を発揮させることが出来る。
【００１８】
かかる第一伸縮部は、紐状に形成する事も可能であるが、帯状に形成する事が望ましい。前記足部装着部及び膝部装着部を筒状にした場合には、当該第一伸縮部は線状に足部装着部及び膝部装着部と接続されることから、第一伸縮部が帯状であれば、当該接続部分における収縮力の分散を図る事ができる為である。
【００１９】
更に、本発明にかかる下肢用サポータでは、前記足部装着部及び膝部装着部と、第一収伸縮部とは、縫合などによって一体化する他、これらを着脱自在に接続する事も望ましい。例えば、足部装着部及び膝部装着部と、第一収伸縮部とをホック、釦、面ファスナー、ファスナーなどによって連結する事ができる。このように足部装着部及び膝部装着部と、第一収伸縮部とを着脱自在に連結した場合には、使用者の下肢の大きさや長さに合わせて、任意に足部装着部、膝部装着部、及び第一収伸縮部を選択する事ができ、利用者の体形に合った下肢用サポータとすることができる。
【００２０】
また、利用者の体形に合った下肢用サポータとする為に、前記足部装着部及び膝部装着部はアジャスターやバックル、或いは面ファスナーなどを設けて、筒状に形成した足部装着部及び膝部装着部の内径を変更自在に形成するのも望ましい。その際、前記第一伸縮部もバックルやアジャスター等によって長さ調整自在に形成する事ができ、これにより使用者が歩行動作において衰えている筋肉に応じて、正確に当該第一伸縮部の収縮力乃至は張力を調整する事ができる。
【００２１】
また、上記本発明にかかる下肢用サポータでは、更に大腰筋や腸骨筋や、膝上の大腿四頭筋の動作をサポートする為の構成を伴って構成する事ができる。
【００２２】
即ち、上記本発明にかかる下肢用サポータにおいて、更に腰部又は腰部近傍を包囲して装着される腰部装着部を備えており、当該腰部装着部と前記膝部装着部とに連架されて、大腿四頭筋の正面側に存在する、弾性素材で形成された第二伸縮部とからなる下肢用サポータを提供する。
【００２３】
かかる第二伸縮部は、前記第一伸縮部と同様に伸縮性を有する素材で形成しており、これを腰部又は腰部近傍を包囲して装着される腰部装着部と、前記膝部装着部とに架設状に設けることにより、当該第二伸縮部は大腿四頭筋の正面に存在し、その収縮力によって、大腰筋や腸骨筋、更には大腿四頭筋の動作を支援することができる。即ち、歩行動作においては、大腰筋や腸骨筋によって膝を上げる動作が行われる所、前記第二収縮部の収縮力は、膝を持ち上げる方向に作用する事から、当該大腿四頭筋などの筋力が衰えたとしても、スムーズな歩行動作を行う事ができる。
【００２４】
なお、この第二収縮部は、前記第一収縮部と同様に、アジャスター等を設けて長さ調整できるように形成したり、前記腰部装着部に対して着脱自在に設けたりして、任意の収縮力、張力又は長さのものを選択的に使用できるように構成する事ができる。また当該第二収縮部の上端側（即ち腰部側）を保持する腰部装着部も、前記足部装着部や膝部装着部と同様に、その内径を変更可能に形成したり、前記第二収縮部を着脱自在に保持したりするように形成する事ができる。
【００２５】
そして上記の様に第二伸縮部を伴う下肢用サポータにおいては、前記第二伸縮部は、前記第一伸縮部よりも張力が大きくなるように形成するのが望ましい。各伸縮部がサポートする筋肉の作用および筋力を考慮した上で、円滑な歩行動作を実現する為である。
【発明の効果】
【００２６】
上記本発明の下肢用サポータは、弾性素材の収縮力によって装着者の歩行を支援し、足のつま先部又は甲部を包囲して装着される足部装着部と、膝部又は膝部近傍を包囲して装着される膝部装着部と、当該脚部装着部と膝部装着部とに連架されて、前脛骨筋の正面側に存在する、弾性素材で形成された第一伸縮部とからなることから、その装着や取外しを容易に行う事ができる。特に、前記脚部装着部と膝部装着部とを、伸縮自在な筒状に形成し、各部位を締め付けて固定した場合には、その装着や取外しを一層簡易に行う事ができるため、利用者の状況に応じて、簡易に装着したり、取り外したりする事ができ、装着・取外し動作を困難なく行う事ができるようにした下肢用サポータを提供することができる。
【００２７】
そして、第一伸縮部は前脛骨筋の正面側に存在するだけである事から、当該第一伸縮部の緊締力だけを両性すれば良い。よって、弾性部材同士の緊締力のバランスを考慮する事なく、長年の使用により緊締力が変化した場合であっても、歩行動作を支援できるようにした下肢用サポータを提供することができる。
【００２８】
そして前記伸縮部を帯状とし、つま先を上方に持ち上げる向きに張力が作用する長さに形成すると共に、足首から離反して存在するように形成する事で、足先側を持ち上げる事ができ、歩行時における躓きなどの危険性を回避する事ができる。
【００２９】
更に腰部又は腰部近傍を包囲して装着される腰部装着部を備えており、当該腰部装着部と前記膝部装着部とに連架されて、大腿四頭筋の正面側に存在する、弾性素材で形成された第二伸縮部を備える場合には、当該第二伸縮部は歩行動作における大腿四頭筋の動作を支援する事から、膝を高く上げる事ができ、これにより摺足歩行を阻止する事ができる。
【００３０】
そして、前記第二伸縮部を、前記第一伸縮部よりも大きい張力に形成した場合には、各部位の筋力や持ち上げる部位の重さに応じた最適なサポートを実現することができ、これにより円滑な歩行動作を実現する事ができる。
【図面の簡単な説明】
【００３１】
【図１】第一の実施の形態にかかる下肢用サポータを装着した状態を示す斜視図
【図２】第二の実施の形態にかかる下肢用サポータを装着した状態を示す（Ａ）正面図、（Ｂ）側面図
【図３】第三の実施の形態にかかる下肢用サポータを装着した状態を示す正面図
【図４】下肢用サポータを装着した歩行動作状態を示す略図
【発明を実施するための形態】
【００３２】
以下、図面を参照しながら本発明にかかる下肢用サポータ50の幾つかの実施の形態を具体的に説明する。但し、以下の実施の形態は、幾つかの実施の形態を示しているに過ぎず、本発明の趣旨を逸脱しない範囲内において、適宜変更する事ができる。
【００３３】
図１は、下肢、特に膝下側の動作を支援する為の下肢用サポータ50であり、前脛骨筋M1の動作を支援するように構成している。この図に示す様に、当該下肢用サポータ50は、使用者の膝近傍を緊締して装着される膝部装着部10と、足の甲部を緊締して装着する足部装着部14と、両者間に架設して設けられる第一伸縮部12とで構成されている。
【００３４】
本実施の形態において、膝部装着部10と足部装着部14とは市販されている運動用サポータと同様の素材を用いて筒状に形成し、各部位を緊締する大きさに形成している。但し、この膝部装着部10と足部装着部14とは、必ずしも伸縮性を有する必要は無く、当該部位に確実に固定できれば良い。この為、例えばベルト状、又は紐状に形成したり、或いは面ファスナーを設けて各部位を締め付けて固定できるように形成する事もできる。特に、この膝部装着部10と足部装着部14とは、使用者の体系に適応することが望ましく、内径サイズを任意に変更可能に形成するか、或いは使用者の体系に応じた複数の大きさ（Ｍサイズ、Ｌサイズ、ＬＬサイズなど）のものを予め準備しておくのが望ましい。
【００３５】
そして第一伸縮部12は、ゴムを編み込んだストレッチ性（伸縮性）を有する布で形成する事ができる。この第一伸縮部12の伸縮力は、装着時において、足の甲部を上向きに引き上げる事ができる程度に形成する事ができるが、これは使用者における前脛骨筋M1の筋力との関係において、任意に調整する事ができる。また、この第一伸縮部12は、使用者の筋力に応じて任意に伸縮力を調整する事ができるように形成する事もできる。この場合、当該第一伸縮部12にアジャスターなどを設ける事ができる。但し、歩行動作などにおいて、当該アジャスターが脛に当たる可能性も否定できないことから、アジャスターを用いることなく長さを調整できることが望ましい。
【００３６】
かかる第一伸縮部12は、本実施の形態では膝部装着部10の下部から、足部装着部14の足首側を連架するように設けている。このように設ける事により、サンダルや靴などを履いた場合でも問題なく装着する事ができる。但し、この実施の形態にかかる下肢用サポータ50は、足先を上に引き上げるように作用するものである事から、サンダルなどの履物を履かない室内で使用する場合には、当該第一伸縮部12は、足部装着部14の足先側に連結することが望ましい。このように足先部に第一伸縮部12を連結する事により、足先を持ち上げる力を最大限にする事ができる。
【００３７】
以上のように形成した下肢用サポータ50によれば、歩行動作において、足先は第一伸縮部12によって持ち上げられることから、つま先が石や段差に引っ掛かるおそれを無くして、躓きによる転倒の問題を大幅に改善する事ができる。
【００３８】
図２は第二の実施の形態にかかる下肢用サポータ50を示す（Ａ）正面図、（Ｂ）側面図である。この実施の形態にかかる下肢用サポータ50は、踵から足首に向かって緊締する足部装着部14を用いて形成している。即ち、この実施の形態における下肢用サポータ50の足部装着部14は、踵部から足首の前面側に回り込んで包囲するように構成されており、前記第一伸縮部12は、足の甲部側に存在する部位に連結されている。このように形成した下肢用サポータ50においても、当該第一伸縮部12が収縮する事により、前脛骨筋M1が足先側を持ち上げる力を支援する事ができるため、これを装着する事により、歩行動作時における足部の動作を円滑に行う事ができる。なお、この実施の形態において、足部装着部の先端側は前脛骨筋の接続部の近傍に存在するように形成している。
【００３９】
図３は、第三の実施の形態にかかる下肢用サポータ50を示しており、更に大腰筋M2や腸骨筋M3或いは、膝上の大腿四頭筋M4の動作をサポートできるように構成した下肢用サポータ50を示している。即ち、この実施の形態にかかる下肢用サポータ50は、前記図１に示した下肢用サポータ50に対し、更に使用者の腰部近傍を包囲して装着される腰部装着部20を備えており、当該腰部装着部20と前記膝部装着部10との間に第二伸縮部22を設けている。
【００４０】
本実施の形態における腰部装着部20は、前記膝部装着部10や足部装着部14と同様に、運動用サポータとして利用されているような伸縮性を有する布を使用して形成する事ができ、緊締力によって腰部に装着する事ができる。但し、この腰部装着部20は、必ずしも伸縮性を有する布で製造する必要は無く、例えば腰ベルトとして形成する事も出来、この場合には、当該下肢用サポータ50の装着をより簡易に行う事ができる。
【００４１】
そして、この腰部装着部20と膝部装着部10には、前記第一伸縮部12と同じように、伸縮性を有する素材で形成された第二伸縮部22を設けている事から、歩行動作に際しては、当該第二伸縮部22の収縮力によって、膝を持ち上げる事ができ、これにより摺足歩行を解消する事ができる。また、当該第二伸縮部22によって膝を持ち上げる結果、足も高く持ち上げる事ができ、これにより石や段差などにおける躓きを回避する事ができる。
【００４２】
かかる第二伸縮部22による膝の持ち上げ支援は、当該第二伸縮部22が収縮する事により、着用者における大腰筋M2や腸骨筋M3、或いは大腿四頭筋M4をサポートすることによるものである。よって、当該第二伸縮部22の収縮力は、着用者における大腰筋M2や腸骨筋M3、或いは大腿四頭筋M4の筋力の衰えを考慮し、下肢を持ち上げる力を支援する程度に形成するのが望ましい。
【００４３】
特に、本実施の形態において、第二伸縮部22は第一伸縮部12よりも強い伸縮力（張力）を有するように形成する。それぞれの伸縮部がサポートする筋肉（前脛骨筋M1、大腿四頭筋M4）が動かす部位の重さを考慮し、スムーズな歩行動作を実現する為である。
【００４４】
なお、この実施の形態において、下肢用サポータ50は、膝部装着部10と足部装着部14と第一伸縮部12とからなる膝下側下肢用サポータ50と、腰部装着部20と膝部装着部10と第二伸縮部22とからなる膝上側下肢用サポータ50として、夫々を別に形成して任意に組み合わせて使用する事もできる。このように、膝部装着部10で分けた２つの下肢用サポータ50とする事により、その装着性を向上させることが出来る。
【００４５】
図４は、図３の実施の形態に示した下肢用サポータ50を着用した歩行動作を示す略図である。この図４中、左側から右側に歩行する際、右足を前に出した状態（Ａ）から、右足に体重を移動させ（Ｂ）、そして左足を出して（Ｃ）、左足に体重を移動させる（Ｄ）。そして右足を前に出す段階（Ｅ）で、足先は第一伸縮部12によって持ち上げられ、下に向くことは無い。これにより石や段差などにつま先が引っ掛かる恐れがなくなり、歩行時の転倒を大幅に改善する事ができる。そして、このように右足を前に出す段階では、前記第二伸縮部22は大腿部よりも下側を持ち上げるように作用する事から、右足を容易に前に出すことが出来、更に右足を高く持ち上げ付事ができる。そして右足を設置させた状態（Ｆ）では、体重移動によって前記第一伸縮部12や第二伸縮部22は延ばされる事から、これら伸縮部を伸ばすために、何れかの筋肉が使用される事は無く、よってスムーズな歩行を実現する事ができる。
【００４６】
上記本実施の形態に示した下肢用サポータ50は、１つの具体例を示したにすぎず、本発明の趣旨を逸脱しない範囲内において、任意に変更する事ができる。例えば各構成要素を同じ作用効果を発現する限りにおいて、異なる構成に形成する事も可能である。
【産業上の利用可能性】
【００４７】
上記本発明にかかる下肢用サポータは、歩行動作をスムーズに実施する為の器具として利用する事ができ、高齢者のみならず、リハビリなどの用途においても使用する事ができる。更に痩身運動等の各種の運動の用途においても使用する事ができる。
【符号の説明】
【００４８】
10    膝部装着部
12    第一伸縮部
14    足部装着部
20    腰部装着部
22    第二伸縮部
50    下肢用サポータ
M1    前脛骨筋
M2    大腰筋
M3    腸骨筋
M4    大腿四頭筋
【図１】
2018011903.tif 000003
【図２】
2018011903.tif 000004
【図３】
2018011903.tif 000005
【図４】
2018011903.tif 000006